(57)【要約】      （修正有）【課題】構造が合理的かつコンパクトな湖の富栄養化処理設備を提供する。【解決手段】富栄養化処理設備は、水輸送管１、曝気槽２、ブラケット３、排泥管４、汚泥槽５、曝気装置６、オゾン供給室７、連通管８、紫外線励起室９、浄水管１０、フローティングプラットフォーム１１、制御システム１２を含み、曝気槽は水輸送管を介して下部の湖に接続され、水輸送管に水ポンプが設けられ、曝気槽の底部と汚泥槽との間に排泥管が設けられ、排泥管の末端に電磁弁が設けられ、曝気槽の下方にブラケットが設けられ、ブラケットの下方にフローティングプラットフォームが設けられ、フローティングプラットフォームはすべての部材を載置して湖の表面にフロートし、フローティングプラットフォームの表面に曝気槽が設けられ、曝気槽内の底部にガス噴射口が設けられ、ガス噴射口は曝気装置に連通しており、曝気装置は管路を介してオゾン供給室に接続され、曝気槽は連通管を介して紫外線励起室９に連通する。【選択図】図１
0003233022.tif 000002
【実用新案登録請求の範囲】
【請求項１】
水輸送管（１）、曝気槽（２）、ブラケット（３）、排泥管（４）、汚泥槽（５）、曝気装置（６）、オゾン供給室（７）、連通管（８）、紫外線励起室（９）、浄水管（１０）、フローティングプラットフォーム（１１）、制御システム（１２）を含む湖の富栄養化処理設備であって、
前記曝気槽（２）は水輸送管（１）を介して下部の湖に接続され、水輸送管（１）に水ポンプが設けられ、前記曝気槽（２）の底部と汚泥槽（５）との間に排泥管（４）が設けられ、排泥管（４）の末端に電磁弁が設けられ、前記曝気槽（２）の下方にブラケット（３）が設けられ、前記ブラケット（３）の下方にフローティングプラットフォーム（１１）が設けられ、フローティングプラットフォーム（１１）はすべての部材を載置して湖の表面にフロートし、前記フローティングプラットフォーム（１１）の表面に曝気槽（２）が設けられ、曝気槽（２）内の底部にガス噴射口が設けられ、ガス噴射口は曝気装置（６）に連通しており、前記曝気装置（６）は管路を介してオゾン供給室（７）に接続され、前記曝気槽（２）は連通管（８）を介して紫外線励起室（９）に連通しており、前記紫外線励起室（９）の側壁に浄水管（１０）が設けられ、前記制御システム（１２）はフローティングプラットフォーム（１１）の表面に位置し、水ポンプ、電磁弁はリード線を介して制御システム（１２）に接続される、ことを特徴とする湖の富栄養化処理設備。
【請求項２】
前記曝気槽（２）は、曝気槽ケース（２１）、水平濾過バッフル（２２）、傾斜導流板（２３）、垂直仕切り板（２４）、水位センサ（２５）、収集室（２６）、曝気ヘッド（２７）を含み、
前記傾斜導流板（２３）は曝気槽ケース（２１）の内部の左側に位置し、その上端は上向きに曲がった円弧状板であり、下部は１０°〜４５°傾斜した斜板であり、傾斜導流板（２３）の両側は曝気槽ケース（２１）の内壁にシームレスに溶接され、前記水平濾過バッフル（２２）は傾斜導流板（２３）の底部の位置に水平に配置され、水平濾過バッフル（２２）の右壁は傾斜導流板（２３）の底部にシームレスに溶接され、残りの側壁は曝気槽ケース（２１）の内壁にシームレスに溶接され、水平濾過バッフル（２２）の表面に大量の貫通孔が均等に分布しており、前記垂直仕切り板（２４）は傾斜導流板（２３）の底部の位置に垂直に配置され、垂直仕切り板（２４）の天面は傾斜導流板（２３）の底部にシームレスに溶接され、残りの側壁は曝気槽ケース（２１）の内壁にシームレスに溶接され、前記曝気槽（２）の内部に水位センサ（２５）が設けられ、水位センサ（２５）はリード線を介して制御システム（１２）に接続され、水平濾過バッフル（２２）の下部に沈殿物を収集するための収集室（２６）が設けられ、曝気槽ケース（２１）の底部には、一端が外部のエアポンプに連通し、他端が複数の曝気ヘッド（２７）に連通している曝気装置（６）が設けられる、ことを特徴とする請求項１に記載の湖の富栄養化処理設備。
【請求項３】
前記曝気ヘッド（２７）は、ダクト（２７１）、ダスト吸着ブロック（２７２）、ホットエアリング（２７３）、バルブ（２７４）、排気通路（２７５）、微生物成長剤ノズル（２７６）、ダスト濾過網（２７７）、給気通路（２７８）を含み、
一端にある排気通路（２７５）は、その出力ポートにバルブ（２７４）が設けられ、バルブ（２７４）はリード線を介して制御システム（１２）に接続され、排気通路（２７５）の左側の内部に微生物成長剤ノズル（２７６）が設けられ、微生物成長剤ノズル（２７６）はラッパ状をしており、左方に開口し、チューブを介して外部の微生物成長剤に接続され、微生物成長剤ノズル（２７６）の左側にホットエアリング（２７３）が設けられ、ホットエアリング（２７３）のリング面の左側に大量の貫通孔が設けられ、ホットエアリング（２７３）の左側にダスト濾過網（２７７）、ダスト吸着ブロック（２７２）、ダクト（２７１）、給気通路（２７８）が順次設けられる、ことを特徴とする請求項２に記載の湖の富栄養化処理設備。
【請求項４】
湖の富栄養化処理設備であって、該設備の作動方法は、
制御システム（１２）は水輸送管（１）の水ポンプを起動させて湖水を曝気槽（２）内に送るとともに、曝気装置（６）を起動させて曝気槽（２）の底部のガス噴射口から大量の気体を噴射し、汚染湖水を曝気処理し、制御システム（１２）は排泥管（４）の末端の電磁弁を開き、曝気による汚泥を、排泥管（４）を介して汚泥槽（５）に排出し、５ｍｉｎ〜１００ｍｉｎ曝気処理後、曝気装置（６）はオゾン供給室（７）内のオゾンを、ガス噴射口から曝気槽（２）に送り、水を処理し、連通管（８）は曝気槽（２）内の水を紫外線励起室（９）に送り、紫外線を照射することで、有害な微生物をさらに死滅させ、制御システム（１２）は浄水管（１０）を経る電気制御弁を開いて、浄水を湖に排出する、ステップ１と、
曝気槽（２）の作動中、処理対象湖水は右側から側壁に沿って曝気槽（２）の内部に入り、曝気装置（６）は複数の曝気ヘッド（２７）により処理対象湖水を曝気処理し、沈殿物は傾斜導流板（２３）の斜面に沿って、水平濾過バッフル（２２）の貫通孔を通過して収集室（２６）に入り、処理済みの水は曝気槽（２）の右側の高所から排出され、曝気槽（２）の最上部には水位センサ（２５）が設けられ、曝気槽（２）の水位の操作上の安全性をリアルタイムで監視するステップ２と、
曝気ヘッド（２７）の作動中、空気が給気通路（２７８）から入り、ダクト（２７１）、ダスト吸着ブロック（２７２）、ダスト濾過網（２７７）を順次通過し、空気中のダストが除去され、ホットエアリング（２７３）による４０℃〜６０℃のホットエアが微生物の成長を促進し、微生物成長剤ノズル（２７６）から噴出された微生物成長剤が微生物の成長を促進し、最終的にバルブ（２７４）を介して気体を噴射するステップ３を含む、ことを特徴とする湖の富栄養化処理設備。
【考案の詳細な説明】
【技術分野】
【０００１】
本考案は、湖水汚染管理設備の分野に関し、具体的には、湖の富栄養化処理設備に関する。
【背景技術】
【０００２】
従来技術の条件では、この分野の処理設備や関連技術はまだ成熟しておらず、主に従来技術には以下の機構がない。
【０００３】
即ち、水輸送管、曝気槽、ブラケット、排泥管、汚泥槽、曝気装置、オゾン供給室、連通管、紫外線励起室、浄水管、フローティングプラットフォーム、制御システム機構がない。
【考案の概要】
【考案が解決しようとする課題】
【０００４】
上記機構がない又は上記機構が成熟していないことから、プロセスが古く、処理コストが高く、作動効率が低く、プロセスフローが長く、自動制御が不能であり、占有面積が大きいなどの欠点がある。
【課題を解決するための手段】
【０００５】
上記の技術的課題を解決するために、本考案は湖の富栄養化処理設備を提供し、この湖の富栄養化処理設備は、水輸送管１、曝気槽２、ブラケット３、排泥管４、汚泥槽５、曝気装置６、オゾン供給室７、連通管８、紫外線励起室９、浄水管１０、フローティングプラットフォーム１１、制御システム１２を含み、
前記曝気槽２は水輸送管１を介して下部の湖に接続され、水輸送管１に水ポンプが設けられ、前記曝気槽２の底部と汚泥槽５との間に排泥管４が設けられ、排泥管４の末端に電磁弁が設けられ、前記曝気槽２の下方にブラケット３が設けられ、前記ブラケット３の下方にフローティングプラットフォーム１１が設けられ、フローティングプラットフォーム１１はすべての部材を載置して湖の表面にフロートし、前記フローティングプラットフォーム１１の表面に曝気槽２が設けられ、曝気槽２内の底部にガス噴射口が設けられ、ガス噴射口は曝気装置６に連通しており、前記曝気装置６は管路を介してオゾン供給室７に接続され、前記曝気槽２は連通管８を介して紫外線励起室９に連通しており、前記紫外線励起室９の側壁に浄水管１０が設けられ、前記制御システム１２はフローティングプラットフォーム１１の表面に位置し、水ポンプ、電磁弁はリード線を介して制御システム１２に接続される。
【０００６】
さらに、前記曝気槽２は、曝気槽ケース２１、水平濾過バッフル２２、傾斜導流板２３、垂直仕切り板２４、水位センサ２５、収集室２６、曝気ヘッド２７を含み、
前記傾斜導流板２３は曝気槽ケース２１の内部の左側に位置し、その上端は上向きに曲がった円弧状板であり、下部は１０°〜４５°傾斜した斜板であり、傾斜導流板２３の両側は曝気槽ケース２１の内壁にシームレスに溶接され、前記水平濾過バッフル２２は傾斜導流板２３の底部の位置に水平に配置され、水平濾過バッフル２２の右壁は傾斜導流板２３の底部にシームレスに溶接され、残りの側壁は曝気槽ケース２１の内壁にシームレスに溶接され、水平濾過バッフル２２の表面に大量の貫通孔が均等に分布しており、前記垂直仕切り板２４は傾斜導流板２３の底部の位置に垂直に配置され、垂直仕切り板２４の天面は傾斜導流板２３の底部にシームレスに溶接され、残りの側壁は曝気槽ケース２１の内壁にシームレスに溶接され、前記曝気槽２の内部に水位センサ２５が設けられ、水位センサ２５はリード線を介して制御システム１２に接続され、水平濾過バッフル２２の下部に沈殿物を収集するための収集室２６が設けられ、曝気槽ケース２１の底部には、一端が外部のエアポンプに連通し、他端が複数の曝気ヘッド２７に連通している曝気装置６が設けられる。
【０００７】
さらに、前記曝気ヘッド２７は、ダクト２７１、ダスト吸着ブロック２７２、ホットエアリング２７３、バルブ２７４、排気通路２７５、微生物成長剤ノズル２７６、ダスト濾過網２７７、給気通路２７８を含み、
一端にある排気通路２７５は、その出力ポートにバルブ２７４が設けられ、バルブ２７４はリード線を介して制御システム１２に接続され、排気通路２７５の左側の内部に微生物成長剤ノズル２７６が設けられ、微生物成長剤ノズル２７６はラッパ状をしており、左方に開口し、チューブを介して外部の微生物成長剤に接続され、微生物成長剤ノズル２７６の左側にホットエアリング２７３が設けられ、ホットエアリング２７３のリング面の左側に大量の貫通孔が設けられ、ホットエアリング２７３の左側にダスト濾過網２７７、ダスト吸着ブロック２７２、ダクト２７１、給気通路２７８が順次設けられる。
【０００８】
さらに、該設備の作動方法は、
制御システム１２は水輸送管１の水ポンプを起動させて湖水を曝気槽２内に送るとともに、曝気装置６を起動させて曝気槽２の底部のガス噴射口から大量の気体を噴射し、汚染湖水を曝気処理し、制御システム１２は排泥管４の末端の電磁弁を開き、曝気による汚泥を、排泥管４を介して汚泥槽５に排出し、５ｍｉｎ〜１００ｍｉｎ曝気処理後、曝気装置６はオゾン供給室７内のオゾンを、ガス噴射口から曝気槽２に送り、水を処理し、連通管８は曝気槽２内の水を紫外線励起室９に送り、紫外線を照射することで、有害な微生物をさらに死滅させ、制御システム１２は浄水管１０を経る電気制御弁を開いて、浄水を湖に排出するステップ１と、
曝気槽２の作動中、処理対象湖水は右側から側壁に沿って曝気槽２の内部に入り、曝気装置６は複数の曝気ヘッド２７により処理対象湖水を曝気処理し、沈殿物は傾斜導流板２３の斜面に沿って、水平濾過バッフル２２の貫通孔を通過して収集室２６に入り、処理済みの水は曝気槽２の右側の高所から排出され、曝気槽２の最上部には水位センサ２５が設けられ、曝気槽２の水位の操作上の安全性をリアルタイムで監視するステップ２と、
曝気ヘッド２７の作動中、空気が給気通路２７８から入り、ダクト２７１、ダスト吸着ブロック２７２、ダスト濾過網２７７を順次通過し、空気中のダストが除去され、ホットエアリング２７３による４０℃〜６０℃のホットエアが微生物の成長を促進し、微生物成長剤ノズル２７６から噴出された微生物成長剤が微生物の成長を促進し、最終的にバルブ２７４を介して気体を噴射するステップ３を含む。
【考案の効果】
【０００９】
本考案の利点は、構造が合理的かつコンパクトであり、使用効果が高く、プロセスが新規であり、設備の適用範囲が広いことである。
【図面の簡単な説明】
【００１０】
【図１】本考案の湖の富栄養化処理設備の図である。
【図２】本考案の曝気槽２の図である。
【図３】本考案の曝気ヘッド２７の図である。
【考案を実施するための形態】
【００１１】
以下、図面を参照しながら本考案による湖の富栄養化処理設備をさらに説明する。
【００１２】
図１は本考案の湖の富栄養化処理設備の図である。水輸送管１、曝気槽２、ブラケット３、排泥管４、汚泥槽５、曝気装置６、オゾン供給室７、連通管８、紫外線励起室９、浄水管１０、フローティングプラットフォーム１１、制御システム１２を含み、
前記曝気槽２は水輸送管１を介して下部の湖に接続され、水輸送管１に水ポンプが設けられ、前記曝気槽２の底部と汚泥槽５との間に排泥管４が設けられ、排泥管４の末端に電磁弁が設けられ、前記曝気槽２の下方にブラケット３が設けられ、前記ブラケット３の下方にフローティングプラットフォーム１１が設けられ、フローティングプラットフォーム１１はすべての部材を載置して湖の表面にフロートし、前記フローティングプラットフォーム１１の表面に曝気槽２が設けられ、曝気槽２内の底部にガス噴射口が設けられ、ガス噴射口は曝気装置６に連通しており、前記曝気装置６は管路を介してオゾン供給室７に接続され、前記曝気槽２は連通管８を介して紫外線励起室９に連通しており、前記紫外線励起室９の側壁に浄水管１０が設けられ、前記制御システム１２はフローティングプラットフォーム１１の表面に位置し、水ポンプ、電磁弁はリード線を介して制御システム１２に接続される。
【００１３】
図２は本考案の曝気槽２の図である。前記曝気槽２は、曝気槽ケース２１、水平濾過バッフル２２、傾斜導流板２３、垂直仕切り板２４、水位センサ２５、収集室２６、曝気ヘッド２７を含み、
前記傾斜導流板２３は曝気槽ケース２１の内部の左側に位置し、その上端は上向きに曲がった円弧状板であり、下部は１０°〜４５°傾斜した斜板であり、傾斜導流板２３の両側は曝気槽ケース２１の内壁にシームレスに溶接され、前記水平濾過バッフル２２は傾斜導流板２３の底部の位置に水平に配置され、水平濾過バッフル２２の右壁は傾斜導流板２３の底部にシームレスに溶接され、残りの側壁は曝気槽ケース２１の内壁にシームレスに溶接され、水平濾過バッフル２２の表面に大量の貫通孔が均等に分布しており、前記垂直仕切り板２４は傾斜導流板２３の底部の位置に垂直に配置され、垂直仕切り板２４の天面は傾斜導流板２３の底部にシームレスに溶接され、残りの側壁は曝気槽ケース２１の内壁にシームレスに溶接され、前記曝気槽２の内部に水位センサ２５が設けられ、水位センサ２５はリード線を介して制御システム１２に接続され、水平濾過バッフル２２の下部に沈殿物を収集するための収集室２６が設けられ、曝気槽ケース２１の底部には、一端が外部のエアポンプに連通し、他端が複数の曝気ヘッド２７に連通している曝気装置６が設けられる。
【００１４】
図３は本考案の曝気ヘッド２７の図である。前記曝気ヘッド２７は、ダクト２７１、ダスト吸着ブロック２７２、ホットエアリング２７３、バルブ２７４、排気通路２７５、微生物成長剤ノズル２７６、ダスト濾過網２７７、給気通路２７８を含み、
一端にある排気通路２７５は、その出力ポートにバルブ２７４が設けられ、バルブ２７４はリード線を介して制御システム１２に接続され、排気通路２７５の左側の内部に微生物成長剤ノズル２７６が設けられ、微生物成長剤ノズル２７６はラッパ状であり、左方に開口し、チューブを介して外部の微生物成長剤に接続され、微生物成長剤ノズル２７６の左側にホットエアリング２７３が設けられ、ホットエアリング２７３のリング面の左側に大量の貫通孔が設けられ、ホットエアリング２７３の左側にダスト濾過網２７７、ダスト吸着ブロック２７２、ダクト２７１、給気通路２７８が順次設けられる。
【符号の説明】
【００１５】
水輸送管１、曝気槽２、ブラケット３、排泥管４、汚泥槽５、曝気装置６、オゾン供給室７、連通管８、紫外線励起室９、浄水管１０、フローティングプラットフォーム１１、制御システム１２、曝気槽ケース２１、水平濾過バッフル２２、傾斜導流板２３、垂直仕切り板２４、水位センサ２５、収集室２６、曝気ヘッド２７、ダクト２７１、ダスト吸着ブロック２７２、ホットエアリング２７３、バルブ２７４、排気通路２７５、微生物成長剤ノズル２７６、ダスト濾過網２７７、給気通路２７８。
【図１】
0003233022.tif 000003
【図２】
0003233022.tif 000004
【図３】
0003233022.tif 000005
【手続補正書】
【提出日】令和3年5月11日(2021.5.11)
【手続補正１】
【補正対象書類名】実用新案登録請求の範囲
【補正対象項目名】全文
【補正方法】変更
【補正の内容】
【実用新案登録請求の範囲】
【請求項１】
水輸送管（１）、曝気槽（２）、ブラケット（３）、排泥管（４）、汚泥槽（５）、曝気装置（６）、オゾン供給室（７）、連通管（８）、紫外線励起室（９）、浄水管（１０）、フローティングプラットフォーム（１１）、制御システム（１２）を含む湖の富栄養化処理設備であって、
前記曝気槽（２）は水輸送管（１）を介して下部の湖に接続され、水輸送管（１）に水ポンプが設けられ、前記曝気槽（２）の底部と汚泥槽（５）との間に排泥管（４）が設けられ、排泥管（４）の末端に電磁弁が設けられ、前記曝気槽（２）の下方にブラケット（３）が設けられ、前記ブラケット（３）の下方にフローティングプラットフォーム（１１）が設けられ、フローティングプラットフォーム（１１）はすべての部材を載置して湖の表面にフロートし、前記フローティングプラットフォーム（１１）の表面に曝気槽（２）が設けられ、曝気槽（２）内の底部にガス噴射口が設けられ、ガス噴射口は曝気装置（６）に連通しており、前記曝気装置（６）は管路を介してオゾン供給室（７）に接続され、前記曝気槽（２）は連通管（８）を介して紫外線励起室（９）に連通しており、前記紫外線励起室（９）の側壁に浄水管（１０）が設けられ、前記制御システム（１２）はフローティングプラットフォーム（１１）の表面に位置し、水ポンプ、電磁弁はリード線を介して制御システム（１２）に接続される、ことを特徴とする湖の富栄養化処理設備。
【請求項２】
前記曝気槽（２）は、曝気槽ケース（２１）、水平濾過バッフル（２２）、傾斜導流板（２３）、垂直仕切り板（２４）、水位センサ（２５）、収集室（２６）、曝気ヘッド（２７）を含み、
前記傾斜導流板（２３）は曝気槽ケース（２１）の内部の左側に位置し、その上端は上向きに曲がった円弧状板であり、下部は１０°〜４５°傾斜した斜板であり、傾斜導流板（２３）の両側は曝気槽ケース（２１）の内壁にシームレスに溶接され、前記水平濾過バッフル（２２）は傾斜導流板（２３）の底部の位置に水平に配置され、水平濾過バッフル（２２）の右壁は傾斜導流板（２３）の底部にシームレスに溶接され、残りの側壁は曝気槽ケース（２１）の内壁にシームレスに溶接され、水平濾過バッフル（２２）の表面に大量の貫通孔が均等に分布しており、前記垂直仕切り板（２４）は傾斜導流板（２３）の底部の位置に垂直に配置され、垂直仕切り板（２４）の天面は傾斜導流板（２３）の底部にシームレスに溶接され、残りの側壁は曝気槽ケース（２１）の内壁にシームレスに溶接され、前記曝気槽（２）の内部に水位センサ（２５）が設けられ、水位センサ（２５）はリード線を介して制御システム（１２）に接続され、水平濾過バッフル（２２）の下部に沈殿物を収集するための収集室（２６）が設けられ、曝気槽ケース（２１）の底部には、一端が外部のエアポンプに連通し、他端が複数の曝気ヘッド（２７）に連通している曝気装置（６）が設けられる、ことを特徴とする請求項１に記載の湖の富栄養化処理設備。
【請求項３】
前記曝気ヘッド（２７）は、ダクト（２７１）、ダスト吸着ブロック（２７２）、ホットエアリング（２７３）、バルブ（２７４）、排気通路（２７５）、微生物成長剤ノズル（２７６）、ダスト濾過網（２７７）、給気通路（２７８）を含み、
一端にある排気通路（２７５）は、その出力ポートにバルブ（２７４）が設けられ、バルブ（２７４）はリード線を介して制御システム（１２）に接続され、排気通路（２７５）の左側の内部に微生物成長剤ノズル（２７６）が設けられ、微生物成長剤ノズル（２７６）はラッパ状をしており、左方に開口し、チューブを介して外部の微生物成長剤に接続され、微生物成長剤ノズル（２７６）の左側にホットエアリング（２７３）が設けられ、ホットエアリング（２７３）のリング面の左側に大量の貫通孔が設けられ、ホットエアリング（２７３）の左側にダスト濾過網（２７７）、ダスト吸着ブロック（２７２）、ダクト（２７１）、給気通路（２７８）が順次設けられる、ことを特徴とする請求項２に記載の湖の富栄養化処理設備。